(57)【要約】  電気通信塔のセクションを構成するための電気通信塔セグメントを開示する。このようなセグメントを複数用いて電気通信塔の管状セクションを形成するようになっている。各電気通信塔セグメントは、凸状の第１の表面を有する。さらに、各電気通信塔セグメントは、第１の表面の反対側に第２の表面を有し、この第２の表面は平坦であるか、または一部平坦である。【選択図】図４
2012520955.tif 000002
【特許請求の範囲】
【請求項１】
電気通信塔（２００）のセクション（１００）を複数の中実壁で構成するための電気通信塔セグメント（３００）であって、
複数の電気通信塔セグメント（３００、３０１、３０２．．．）により前記電気通信塔の管状セクション（１００）を形成可能なように、前記電気通信塔セグメント（３００）は他の複数の電気通信塔セグメント（３０１、３０２）に取り付け可能であり、
前記電気通信塔セグメントは、凸状の第１の表面（３１０）を有し、
前記電気通信塔セグメントは、前記第１の表面の反対側に第２の表面（３２０）を有し、前記第２の表面は平坦であるか、または一部平坦であることを特徴とする電気通信塔セグメント（３００）。
【請求項２】
前記電気通信塔セグメントは第１の端部（５１０）と第２の端部（５２０）とを有し、
前記第１の表面（３１０）および前記第２の表面（３２０）は前記第１の端部（５１０）から前記第２の端部（５２０）まで広がり、
前記電気通信塔セグメントは、前記第１の端部（５１０）から前記第２の端部（５２０）の方を見たときに、漸増する外周を有することを特徴とする請求項１に記載の電気通信塔セグメント（３００）。
【請求項３】
前記電気通信塔セグメント（３００）は、前記電気通信塔セグメント（３００）と同じ種類の、または同様の種類の、他の少なくとも１つの電気通信塔セグメント（３０１、３０２）に取り付け可能であり、
このような電気通信塔セグメント（３００、３０１、３０２）がいくつか配置されて、円錐台状の外面（３１０、３１１、３１２．．．）を描く電気通信塔セクション（１００）が形成されることを特徴とする請求項２に記載の電気通信塔セグメント（３００）。
【請求項４】
前記第２の表面は開口凹部を１つ以上備えることを特徴とする請求項１乃至３のいずれか１項に記載の電気通信塔セグメント。
【請求項５】
前記電気通信塔セグメントは、前記第１の端部から前記第２の端部まで延在する１つ以上の管を備えることを特徴とする請求項２乃至４のいずれか１項に記載の電気通信塔セグメント。
【請求項６】
前記電気通信塔の前記セクションを構成可能とするために、前記電気通信塔セグメントは、前記電気通信塔セグメントを別の電気通信塔セグメントに接続するために適した溝を備えた側面を少なくとも１つ有すること特徴とする請求項１乃至５のいずれか１項に記載の電気通信塔セグメント。
【請求項７】
前記電気通信塔セグメントは、他の電気通信塔セグメントに、注入によって接続されるために適していることを特徴とする請求項６に記載の電気通信塔セグメント。
【請求項８】
前記電気通信塔セグメントは、長さがほぼ９メートル、最も幅広の端部の幅がほぼ２メートルであることを特徴とする請求項１乃至７のいずれか１項に記載の電気通信塔セグメント。
【請求項９】
前記電気通信塔セグメントは鉄筋コンクリート製であることを特徴とする請求項１乃至８のいずれか１項に記載の電気通信塔セグメント。
【請求項１０】
請求項１乃至９のいずれか１項に記載の電気通信塔セグメント（３００、３０１、３０２．．．）を複数備えた電気通信塔セクション（１００）。
【請求項１１】
前記電気通信塔セクションの断面が外周円を形成することを特徴とする請求項１０に記載の電気通信塔セクション。
【請求項１２】
前記電気通信塔セクションは、請求項１乃至９のいずれか１項に記載の電気通信塔セグメントを８つ含むことを特徴とする請求項１０に記載の電気通信塔セクション。
【請求項１３】
前記電気通信塔セクションは電気通信塔のベースセクションを形成するようになっていることを特徴とする請求項１０乃至１２のいずれか１項に記載の電気通信塔セクション。
【請求項１４】
複数の中実壁を有する電気通信塔（２００）であって、
前記電気通信塔の電気通信塔セクション（１００）を形成する複数の電気通信塔セグメント（３００）を備え、
各々の前記電気通信塔セグメントは凸状の第１の表面（３１０）を有し、
各々の前記電気通信塔セグメントは、前記第１の表面の反対側に第２の表面（３２０）を有し、前記第２の表面は平坦であるか、または一部平坦であることを特徴とする電気通信塔（２００）。
【請求項１５】
電気通信塔（２００）の電気通信塔セクション（１００）を複数の中実壁で構成するための電気通信塔セグメント（３００）の製造方法において、
前記電気通信塔セグメントが開放型で成型されることを特徴とする製造方法。
【請求項１６】
複数の中実壁を有する電気通信塔（２００）の建造方法において、
−電気通信塔セクション（１００）を形成するために請求項１乃至１０の何れか１項に記載の電気通信塔セグメント（３００）を複数組み付けるステップと、
−前記電気通信塔セクションを前記電気通信塔のセクションとして用いるステップと、
を含むことを特徴とする方法。
【発明の詳細な説明】
【技術分野】
【０００１】
本発明は、塔に関し、特に、電気通信網で使用される電気通信塔に関する。より具体的には、電気通信塔セグメント、電気通信塔セクション、電気通信塔、電気通信塔セグメントの製造方法、および電気通信塔の建造方法に関する。
【背景技術】
【０００２】
電気通信塔／マスト用に普及している技術は、塔／マストが自立式か支線付きかに拘らず、格子状の鉄鋼構造である。これらのマストは、多くの場合、溶融亜鉛めっきが施され、鉄鋼構造物は亜鉛層で覆われている。鉄塔は通常、設計寿命３０〜５０年として製造される。被覆された構造物は機械的磨耗に弱く、格子状の鉄塔も例外ではない。塔は、輸送中および設置中に表面が損傷されるので、このような損傷を塔の設置中に修復する必要がある。塔の設置時に溶融めっきという選択肢はないので、常温亜鉛めっきによる塗装または吹き付けが一方法として用いられる。保護亜鉛層の損傷は輸送および設置中に回避不能であり、損傷された領域で腐食が始まる。腐食は、あらゆる鉄鋼構造物の設計寿命を決めるものであり、構造物の寿命期間中、亜鉛被覆の有無に拘らず、腐食を止めるための何らかの保守が必要とされる。
【０００３】
国際公開第２００８１３６７１７号は、ベースセグメント、中間セグメント、および終端セグメント（Ｓ１〜Ｓ４）を含む細長いアンテナ塔構造を開示している。これらのセグメントは、鉄筋コンクリート製であり、長手方向に隙間を生じさせることなくベースセグメントを終端セグメントに相互接続する長手方向の相互接続構造を共に形成する複数の細長い締結部材によって長手方向に相互接続される。各セグメントは、そのセグメントの壁に形成された、締結部材をそのセグメントに対して所定の構成で保持するように配置された複数の締結部材ガイドを備える。図１、図２、および図３を参照。
【０００４】
国際公開第２００７１０８７６６号および国際公開第２００７１０８７６５号は、内部取付軸を有する鉛直の細長い塔本体を備えた円錐形の中空アンテナ塔構造を開示している。塔は無線基地局を収容するように構成され、塔本体は、複数の嵌合せガイド構造を含む嵌合せ相互接続機構を備えたモジュール式セグメントを２つ以上備える。
【０００５】
国際公開第２００７１０８７３１号は、無線基地局と、断面が中空の管状塔セクションと、アンテナ塔構造の縦長断面に沿ってアンテナ無線基地局全体を移動させるための構成と、管状の塔の内部に配設されるアンテナ無線基地局と、アンテナ無線基地局の補修のためのアクセスを可能にするアンテナ塔構造内への入口とを備えたアンテナ塔構造を開示している。
【発明の概要】
【０００６】
本発明者は、これまでの塔構造において地上セクションに用いられている四分体は製造上の問題をいくつか引き起こしうることに着目した。先ず第一に、これら四分体は一般道路上での運搬には大きすぎる場合がある。この理由は、これら四分体は積み重ねられないので、移動には特別な許可を必要とする。さらに、これまでに用いられている四分体の形状により、これらは両面型で成型する必要がある。さらに、両面型での成型は時間がかかる場合があり、ひいては高価になりうる。既存の四分体の形状とコンクリートの最大圧縮強度要件が９０ＭＰａであることとの組み合わせは、通常、迅速かつ安価な方法での大規模な地上セクションの製造を極めて難しくする。製造が可能であったとしても、これまでに用いられている成分および寸法（セメント比、超可塑剤、その他）により、高価な構造物になる。
【０００７】
上記の欠点または欠陥の１つ以上を単独で、または組み合わせて、回避すると共に、改良された電気通信塔セグメントを提供することを目的とする。
【０００８】
本発明の第１の態様によると、電気通信塔のセクションを構成するための電気通信塔セグメントが提供される。電気通信塔は複数の中実壁を有しうる。電気通信塔セグメントは、このような電気通信塔セグメントを複数用いて電気通信塔の管状セクションを形成できるように、他の電気通信塔セグメントに取り付け可能である。さらに、電気通信塔セグメントは、凸状の第１の表面を有する。電気通信塔セグメントは、第１の表面の反対側に第２の表面をさらに有し、この第２の表面は平坦であるか、または一部平坦である。
【０００９】
電気通信塔セグメントは第１の端部と第２の端部とを有し、第１の表面および第２の表面が第１の端部から第２の端部まで広がり、第１の端部から第２の端部の方を見ると電気通信塔セグメントは漸増する外周を有する。
【００１０】
いくつかの電気通信塔セグメントを配置することによってセクションを形成しうるので、これらのセグメントは１つの共通の円錐台状の外面を描きうる。
【００１１】
第２の表面は、１つ以上の開口凹部を備えうる。
【００１２】
電気通信塔セグメントは、第１の端部から第２の端部まで延在する管、または管状の空洞、を１つ以上備えうる。
【００１３】
電気通信塔セグメントは、電気通信塔のセクションを構成できるように、当該電気通信塔セグメントを別の電気通信塔セグメントに接続するために適した溝を備えた側面を少なくとも１つ有しうる。
【００１４】
電気通信塔セグメントは、他の複数の電気通信塔セグメントに、注入によって接続されるようにしうる。
【００１５】
電気通信塔セグメントの長さをほぼ９メートル、最も幅広の端部の幅をほぼ２メートルにしうる。あるいは、電気通信塔セグメントの長さをほぼ５メートル、最も幅広の端部の幅をほぼ２メートルにしうる。
【００１６】
電気通信塔セグメントは鉄筋コンクリート製とすることが好ましいが、必ずしもそうする必要はない。
【００１７】
電気通信塔セクションは複数の電気通信塔セグメントを含みうる。
【００１８】
電気通信塔セクションの断面は外周円を形成しうる。
【００１９】
電気通信塔セクションは、上記のように８つの電気通信塔セグメントを含みうる。
【００２０】
電気通信塔セクションは、電気通信塔のベースセクション、または地上セクション、を形成するようにしうる。
【００２１】
本発明の第２の態様によると、電気通信塔は、当該電気通信塔の電気通信塔セクションを形成する複数の電気通信塔セグメントを備える。各電気通信塔セグメントは凸状の第１の表面を有し、電気通信塔セグメントの各々は第１の表面の反対側に第２の表面をさらに有する。第２の表面は平坦であるか、または一部平坦である。第２の表面の形状は、セグメントを開放型で成型した結果として形成されうる。
【００２２】
本発明の第３の態様によると、電気通信塔の電気通信塔セクションを構成するための電気通信塔セグメントの製造方法が提供される。電気通信塔セグメントは開放型で成型される。
【００２３】
本発明の第４の態様によると、電気通信塔の建造方法が提供される。本方法は、複数の電気通信塔セグメントを組み付けて電気通信塔セクションを形成するステップと、この電気通信塔セクションを電気通信塔のセクションとして用いるステップとを含む。
【００２４】
一部の実施形態によると、電気通信塔は中空であるか、または管状である。
【図面の簡単な説明】
【００２５】
【図１】成型されたアンテナ塔構造を示す。
【図２】アンテナ塔を示す。
【図３】塔ベース部のセクション分割を示す。
【図４】塔セクションの実施形態の断面図を示す。
【図５】ある角度からのセグメント成型の実施形態を示す。
【図６】別の角度からのセグメント成型の実施形態を示す。
【図７】別の角度からのセグメント成型の実施形態を示す。
【発明を実施するための形態】
【００２６】
従来の解決策、特に上記の解決策、の欠点を１つ以上回避するために、電気通信塔セグメントを提供する。このような電気通信塔セグメントは、片面型を用いて、さらには、例えば圧縮強度４０ＭＰａのコンクリートを使用して、製造できると好ましいであろう。このような解決策は、図４から図７に説明／図示されている。本解決策は、例えば、完全な円を８つのセグメントに分割して内部断面形状を八角形にすることによって、すなわち内面を平坦に維持することによって、実現される。外面は、図４から図７に描かれているような形状、すなわち１つに組み立てたときのベースセクション全体の断面が円形になる形状、に保たれることが好ましい。勿論、要素をより多くの部品で製作することも可能であるが、８本の基礎杭を用いて地上セクションを地面に固定すると、対称性が実現されてより堅固な構造がもたらされるので、８は好都合な選択肢である。要素数として６、７、９、および１０も可能であるが、これより多数の部品の使用はサイズおよび構成上の要件により制約を受け、これより少数のセグメントの使用は輸送上の制限事項によって制約を受ける。したがって、本発明の一部の実施形態の目的は、電気通信塔の製造工程を容易にすることである。製造コストを削減することも望ましいであろう。加えて、または代わりに、塔の外形に影響を及ぼさない解決策を提供することが好都合であろう。本発明は、要素断面の何れかの直径サイズあるいは要素の何れかの肉厚に限定されるものではなく、各図中の数値は本発明のより良い理解のために示されているに過ぎない。
【００２７】
アンテナ塔構造の例として高さ４０ｍの構造が各例に用いられているが、塔はこれらの図に描かれている形状およびサイズに限定されるものでは決してない。他の該当するアンテナ塔構造の高さは、全て１５〜５５メートルである。ベースセクションの最小幅サイズは、５メートルでもよいが、５〜１０メートル間であれば何れの直径サイズも可能である。上記のように、他の内部断面形状も可能であり、例えば要素数として６を選択すると六角形になる。さまざまな内部断面形状とさまざまな外部断面形状との組み合わせも可能である。外面部分は要求に応じて形成され、事業者などの特徴を表すように形成することも、あるいは景観の眺望により良く適合するように形成することもできる。内部断面形状は、要素の製造を簡素化し、コストを削減するように形成される。ビジネス上の観点から言えば、本発明の一部の実施形態の重要な側面は、事業者の「特徴」となる顧客固有のアンテナ塔形状（単数または複数）を導入することである。一代替側面として、アンテナ塔構造は、広告板の支持体の一部を形成しうる。地上セクションは、さらに基礎の上に据え付けられるか、あるいは、好ましくは杭または圧入杭／ポールによって、地面に直接取り付けられる。各要素を基礎部または地面に直接取り付けることも、あるいは例えばポールを用いて取り付けることもできる。
【００２８】
指摘する価値がある点は、地上セクションを円形の外面と、内面が平坦な８つの同じ要素部分から成る八角形の内面とに分割すると、断面の中間領域が肉厚になる点である。コストと重量とを低減するために、これらの要素は図５〜図７による一部中空の形態に成型される。
【００２９】
これは、構成上の要件と要求とを考慮して行われる。これにより、塔の内側から全体を視認可能な、要素の中心にポストテンションストランドを通せるようになるため、力の偏在がなくなる。これら要素は、取り付け部（図５参照）の助けにより相互に取り付けられる。これは、各要素の少なくとも一方の側面を、追加のコンクリートなどの取り付け材料を後で充填可能な、くり抜きとして形成することによって実現される。各要素の両側面をくり抜くことが好ましい。ボルト締め、ねじ締め、接着など、他の取り付け方法も使用可能である。さらに、地上セクションにさらなる安定性をもたらすために、金属ワイヤまたはストランドを外面の周囲に用いることもできる。
【００３０】
図１は、従来技術による細長い打設アンテナ塔構造を示す。この構造は、セグメントＳ１〜Ｓ４に展開され、Ｓ１がベースセグメントである。これらセグメントは、長手方向に隙間なくベースセグメントを終端セグメントに相互接続する長手方向の相互接続構造（３０）を共に形成する複数の細長い締結部材（２０）によって長手方向に相互に接続され、各セグメントはセグメント壁に形成された、そのセグメントに対して所定の構成で締結部材を保つように配置された締結部材ガイド（５０）を備える。
【００３１】
図２は、複数の電気通信塔セクション（１００）を備えた電気通信塔（２００）を示す。電気通信塔セクション（１００）は、複数の電気通信塔セグメント（３００）を備えうる。この図は、各部の例示的寸法を提供している。
【００３２】
図３は、電気通信塔（２００）のベースセクション（６）を示す。この図によると、ベースセクション（６）は直径が約５０００ｍｍであり、上から見たときの形状が好ましくは円形である。ベースセクション（６）を地面に取り付けるために、８〜１２本の杭を使用できる。あるいは、基礎部を用いて、ベースセクション（６）を地面に直接成型する。サイズおよび形状は５０００ｍｍおよび円形に限定されるものでは決してない。他の形状例は、楕円形、正方形、回転円環形、三角形、矩形、六角形、八角形などである。ベースセクション（６）は、アンテナ塔構造２００の内部へのアクセスを可能にする入口（８）を１つ以上含む。ベースセクション部（６）に設けられた１つ以上の制御可能な換気孔（５）は、電気通信塔（２００）内部の冷却メカニズムを引き起こす空気循環のための制御可能な吸気を可能にする。ベースセクション６（底セクション）は、中空でもよく、大半の装置構成を屋内環境に収められるほど十分に大きい。ベースセクション６は一般には絶縁され、絶縁体はモールド内に取り付けられ、各セクションの成型中に取り付けられる。複数の電線用導管並びに他の細部が型内に配置される。中空構造を有する利点の１つは、別個のシェルターを回避できる点である。塔のベース部がよじ登りを自然に防止するよじ登り防止形状であるため、敷地の囲いも不要になる。一代替案として、ベースセクション（６）を現地で組み立てられる複数の独立部品として構築する。
【００３３】
図４は、複数の電気通信塔セグメント（３００）を備えた電気通信塔セクション（１００）を示す。各セグメントは、平坦な、または一部平坦な、表面（３２０）を有し、この平坦な表面の反対側に凸状の表面（３１０）を有する。一部の実施形態によると、セクション（１００）は、一方の端部がより小さいなど、変化した外周を有する。この形状は、図４に破線の複数の円によって示されているように、円錐体に似せることもできる。
【００３４】
図５は、２つの異なる角度から見た電気通信塔セグメント（３００）を２つの異なる縮尺で示す。この図は、このセグメントの成型に適した型（３５０）も示している。上側の図面は、型の側面図であり、例示的長さ寸法と共に示されている。この長さは、第１の端部（５１０）から第２の端部（５２０）までの測定値である。このセグメントの成型には、より均質な成型を実現するために、型を振動させる振動装置を用いてもよい。
【００３５】
図５の下側の図面は、第２の端部（５２０）から見たセグメントと型の側面図である。例示的測定値として、第２の端部（５２０）はその最も幅広の方向において２メートルを有しうる。一部の実施形態においては、セグメントの片側または両側に溝（３３０）が存在する。型の片側または両側に取り付け部（５００）を取り付けることによって溝を構成できる。セクションの組み立てを容易にするために、溝が両側にあると好都合である。溝は、セグメントを別のセグメントまたは別の構造物に接続するために有用である。セグメントの接続は、例えばコンクリートまたは何らかの接着性を有する別の材料を用いて、注入（injection）によって行うことができる。代わりに、または加えて、セグメントのセクションを隣接セクションに接続するための溝をセグメントに設けることもできる。
【００３６】
図６は、２つの異なる角度から見た電気通信塔セグメントと成型用型を２つの異なる縮尺でさらに示す。この図に示されている実施形態によると、取り付け部（５００）が型の片側または両側に取り付けられている。これら取り付け部は、継ぎ手（３４０）を用いて取り付けられる。継ぎ手（３４０）は、成型中に溝を作成し、その後、完成後にセグメントを容易に取り外せるように、継ぎ手を中心に取り付け部を回転させることによって取り付け部を取り外せるように、取り付け部の操作を可能にする。図６にさらに示されているのは、第１の端部（５１０、この図に破線で図示）から第２の端部（５２０）まで延在する１つ以上の管（６００）の挿入である。管を使用すると、セグメント同士を接続するために、締結部材を通せるようになる。代わりに、管にケーブルを通すこともできる。
【００３７】
図７は、２つの異なる角度から見た電気通信塔セグメント（３００）と成型用型（３５０）を２つの異なる縮尺でさらに示す。１つ以上の凹部（７００）を平坦な、または一部平坦な、表面（３２０）に挿入することによって、重大な支障を来たすことなく成型中に材料を節約できる。凹部の作成は、ミリングによって行うことも、またはセグメントから材料を除去する他の方法によって行うこともできる。あるいは、凹部を必要とする領域への成型材料の進入を防止するために、セグメントの構築中に１つ以上の異物を型に挿入することによって凹部を作成することもできる。
【００３８】
本願明細書で使用する用語「中実（ｓｏｌｉｄ）」は、格子構造の対語としての成形構造を意味するものと解釈されたい。さらに用語「セクション（ｓｅｃｔｉｏｎ）」および「セグメント（ｓｅｇｍｅｎｔ）」は当該技術分野においては互換可能に用いられる。本発明を説明する際、添付の特許請求項から明らかなように、１つのセクションは複数のセグメントを含みうる。
【００３９】
本願明細書で使用される用語は、特定の実施形態を説明することのみを目的としており、本発明を限定する意図はない。本願明細書で使用されている単数形（「ａ」、「ａｎ」、および「ｔｈｅ」）は複数形も含むことを意図しているが、特に文脈上明らかな場合はこの限りではない。用語「備える／含む（ｃｏｍｐｒｉｓｅｓ）」、「備えた／含む（ｃｏｍｐｒｉｓｉｎｇ）」、「含む（ｉｎｃｌｕｄｅｓ）」、および／または「含む（ｉｎｃｌｕｄｉｎｇ）」は、本願明細書で使用される場合、記載されている特徴、整数、ステップ、動作、要素、および／または構成要素の存在を示すが、他の１つ以上の特徴、整数、ステップ、動作、要素、構成要素、および／またはこれらの群の存在または追加を妨げるものではないことをさらに理解されるであろう。
【００４０】
特に明記されていない限り、本願明細書で使用される全ての用語（技術および科学用語を含む）は、本発明が属する技術分野の当業者が一般に理解するのと同じ意味を有する。本願明細書で使用される用語は、本仕様書の文脈および当該技術分野における意味に一致した意味を有するものと解釈されるべきであり、本願明細書において明示的に定義されない限り、理想化された、または過度に形式的な、意味に解釈されないことをさらに理解されるであろう。上では特定の実施形態に言及して本発明を説明した。ただし、上記以外の実施形態も本発明の範囲内で可能である。本発明のさまざまな特徴および方法ステップは、上記以外の組み合わせでの組み合わせも可能である。本発明は、添付の特許請求の範囲によってのみ限定される。
【図１】
2012520955.tif 000003
【図２】
2012520955.tif 000004
【図３】
2012520955.tif 000005
【図４】
2012520955.tif 000006
【図５】
2012520955.tif 000007
【図６】
2012520955.tif 000008
【図７】
2012520955.tif 000009
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
電気通信塔（２００）のセクション（１００）を複数の中実壁で構成するための電気通信塔セグメント（３００）であって、
複数の電気通信塔セグメント（３００、３０１、３０２．．．）により前記電気通信塔の管状セクション（１００）を形成可能なように、前記電気通信塔セグメント（３００）は他の複数の電気通信塔セグメント（３０１、３０２）に取り付け可能であり、
前記電気通信塔セグメントは、凸状の第１の表面（３１０）を有し、
前記電気通信塔セグメントは、前記第１の表面の反対側に第２の表面（３２０）を有し、前記第２の表面は平坦であるか、または一部平坦であることを特徴とする電気通信塔セグメント（３００）。
【請求項２】
前記電気通信塔セグメントは第１の端部（５１０）と第２の端部（５２０）とを有し、
前記第１の表面（３１０）および前記第２の表面（３２０）は前記第１の端部（５１０）から前記第２の端部（５２０）まで広がり、
前記電気通信塔セグメントは、前記第１の端部（５１０）から前記第２の端部（５２０）の方を見たときに、漸増する外周を有することを特徴とする請求項１に記載の電気通信塔セグメント（３００）。
【請求項３】
前記電気通信塔セグメント（３００）は、前記電気通信塔セグメント（３００）と同じ種類の、または同様の種類の、他の少なくとも１つの電気通信塔セグメント（３０１、３０２）に取り付け可能であり、
このような電気通信塔セグメント（３００、３０１、３０２）がいくつか配置されて、円錐台状の外面（３１０、３１１、３１２．．．）を描く電気通信塔セクション（１００）が形成されることを特徴とする請求項２に記載の電気通信塔セグメント（３００）。
【請求項４】
前記第２の表面は開口凹部を１つ以上備えることを特徴とする請求項１乃至３のいずれか１項に記載の電気通信塔セグメント。
【請求項５】
前記電気通信塔セグメントは、前記第１の端部から前記第２の端部まで延在する１つ以上の管を備えることを特徴とする請求項２乃至４のいずれか１項に記載の電気通信塔セグメント。
【請求項６】
前記電気通信塔の前記セクションを構成可能とするために、前記電気通信塔セグメントは、前記電気通信塔セグメントを別の電気通信塔セグメントに接続するために適した溝を備えた側面を少なくとも１つ有すること特徴とする請求項１乃至５のいずれか１項に記載の電気通信塔セグメント。
【請求項７】
前記電気通信塔セグメントは、他の電気通信塔セグメントに、注入によって接続されるために適していることを特徴とする請求項６に記載の電気通信塔セグメント。
【請求項８】
前記電気通信塔セグメントは鉄筋コンクリート製であることを特徴とする請求項１乃至７のいずれか１項に記載の電気通信塔セグメント。
【請求項９】
請求項１乃至８のいずれか１項に記載の電気通信塔セグメント（３００、３０１、３０２．．．）を複数備えた電気通信塔セクション（１００）。
【請求項１０】
前記電気通信塔セクションの断面が外周円を形成することを特徴とする請求項９に記載の電気通信塔セクション。
【請求項１１】
前記電気通信塔セクションは、請求項１乃至８のいずれか１項に記載の電気通信塔セグメントを８つ含むことを特徴とする請求項９に記載の電気通信塔セクション。
【請求項１２】
前記電気通信塔セクションは電気通信塔のベースセクションを形成するようになっていることを特徴とする請求項９乃至１１のいずれか１項に記載の電気通信塔セクション。
【請求項１３】
複数の中実壁を有する電気通信塔（２００）であって、
前記電気通信塔の電気通信塔セクション（１００）を形成する複数の電気通信塔セグメント（３００）を備え、
各々の前記電気通信塔セグメントは凸状の第１の表面（３１０）を有し、
各々の前記電気通信塔セグメントは、前記第１の表面の反対側に第２の表面（３２０）を有し、前記第２の表面は平坦であるか、または一部平坦であることを特徴とする電気通信塔（２００）。
【請求項１４】
電気通信塔（２００）の電気通信塔セクション（１００）を複数の中実壁で構成するための電気通信塔セグメント（３００）の製造方法において、
前記電気通信塔セグメントが開放型で成型されることを特徴とする製造方法。
【請求項１５】
複数の中実壁を有する電気通信塔（２００）の建造方法において、
−電気通信塔セクション（１００）を形成するために請求項１乃至８の何れか１項に記載の電気通信塔セグメント（３００）を複数組み付けるステップと、
−前記電気通信塔セクションを前記電気通信塔のセクションとして用いるステップと、
を含むことを特徴とする方法。
【国際調査報告】
2012520955.tif 000010
2012520955.tif 000011
2012520955.tif 000012